(57)【要約】【課題】  溶融物の吹き出しを有効に防止できるとともに、生産効率に優れた押出成形装置および押出成形方法を提供する。【解決手段】  原料を加熱溶融させて押し出す押出機２と、押出機２から押し出した溶融物を金型３に流入させる流路装置３０と、金型３を保持する金型保持装置７とを備えた押出成形装置１またはそれを用いた押出成形方法であって、流路装置３０は、一端側が押出機２の出口側に連通され他端側が金型３の注入口に連通される流路３７ａと、流路３７ａに連通して設けられて溶融物を貯留できる貯留部３７ｂを有する流路形成部３２と、流路形成部３２を金型３に対して離接方向に移動可能に保持する保持体３１と、保持体３１に保持された流路形成部３２を離接方向に移動させる駆動手段２１と、貯留部の容積を調整するための容積調整手段３９と、を備えている。【選択図】  図１
2005041097.tif 000002
【特許請求の範囲】
【請求項１】
原料を加熱溶融させて押し出すための押出機と、当該押出機から押し出した溶融物を金型に流入させるための流路装置と、金型を保持するための金型保持装置と、を備えた押出成形装置であって、
前記流路装置は、
一端側が押出機の出口側に連通され、他端側が金型の注入口に連通される流路と、
当該流路に連通して設けられて溶融物を貯留するための貯留部を有する流路形成部と、
当該流路形成部を、前記金型に対して離接方向に移動可能に保持する保持体と、
当該保持体に保持された前記流路形成部を前記離接方向に移動させる駆動手段と、
前記貯留部の容積を調整するための容積調整手段と、
を備えることを特徴とする押出成形装置。
【請求項２】
前記流路装置は、金型の端部に設けられた注入口に対して、連結できるように配置または移動可能に構成されていることを特徴とする請求項１に記載の押出成形装置。
【請求項３】
前記金型保持装置は、架台上に設置された走行レールと、当該走行レール上に設置された複数の置台と、これら複数の置台を連結するための連結手段と、を備えることを特徴とする請求項１または２に記載の押出成形装置。
【請求項４】
前記連結手段は、一つ以上のシリンダから構成してあり、前記複数の置台の間の距離が可変であることを特徴とする請求項３に記載の押出成形装置。
【請求項５】
前記容積調整手段は、前記貯留部内を、当該貯留部の内壁に沿って移動可能なピストンを含むことを特徴とする請求項１〜４のいずれか一項に記載の押出成形装置。
【請求項６】
前記貯留部の径を、流路の径よりも大きくすることを特徴とする請求項１〜５のいずれか一項に記載の押出成形装置。
【請求項７】
原料を加熱溶融させて押し出すための押出機と、当該押出機から押し出した溶融物を金型に送るための流路装置と、金型を保持するための金型保持装置と、を備えた押出成形装置を用いた押出成形方法であって、
前記流路装置の吐出口および前記金型の注入口を接続する接続工程と、
前記押出機から吐出される溶融物を、前記流路装置に形成された流路を通じて前記金型に注入する注入工程と、
前記流路の容積を拡大して当該流路内の内圧を減圧するとともに、前記金型側に残留する余分な溶融物を流路装置側に戻す減圧工程と、
前記流路装置の吐出口および前記金型の注入口を切り離す切離工程と、
を含むことを特徴とする押出成形方法。
【請求項８】
前記金型保持装置上に、複数の金型を設置し、これら複数の金型の位置を移動させて、溶融物の注入と、溶融物の冷却とを交互に繰り返すことを特徴とする請求項７に記載の押出成形方法。
【発明の詳細な説明】
【技術分野】
【０００１】
本発明は、押出成形装置および押出成形方法に関し、特に、金型への溶融物の注入効率に優れた押出成形装置および押出成形方法に関する。
【背景技術】
【０００２】
従来、熱可塑性樹脂を主原料として成形品を製造する押出成形装置においては、押出機にて加熱溶融状態にした樹脂等の原料を金型に注入している。したがって、押出機と、金型との接続をするために流路形成部が必要となる。このような流路形成部の一例として、図１３に示すように、押出機１３４の吐出口１３７、１５６の先端に屈曲したノズル１３８、１５７を上下方向に複数個設け、当該複数のノズル１３８、１５７を金型に形成された原料注入口１４０、１５４に、それぞれ挿入するように構成したものが開示されている（例えば、特許文献１参照）。
【特許文献１】特開２００２−３３１５２１号  （特許請求の範囲、図５）
【発明の開示】
【発明が解決しようとする課題】
【０００３】
しかしながら、押出機の吐出口と、金型とを、ノズルで連結しただけの構成では以下のような問題が見られた。すなわち、押出機から金型へ溶融物を注入する際には、押出機内のスクリュー等によって溶融物を一定の圧力で押し出しており、注入終了時点で、金型からノズルを切り離すと、溶融物が外部に吹き出してしまい、ノズル等の周辺に溶融物が飛び散るという問題があった。
また、通常、金型の入口には注入される溶融物を一旦貯留するための小室が設けられているが、その部分に溶融樹脂が残留し、成型品において、大きなバリができるという問題もあった。
さらに、複数のノズルを上下方向に設けた場合、金型の交換に手間や時間がかかる一方、スペースや位置合わせの関係上、複数の金型を用いて、溶融樹脂等を交互に注入することは困難であった。
【０００４】
そこで、上述した問題点につき、発明者により鋭意検討した結果、押出機と、金型とを連結する流路装置の流路内に貯留部を設けて、金型から流路装置を外す際に、減圧した状態で溶融物を一時的に貯留できる構造とすることにより、溶融物の吹き出しを防止できるとともに、成形品におけるバリの発生を可及的に少なくできることを見出し、本発明を完成させたものである。
【課題を解決するための手段】
【０００５】
本発明によれば、原料を加熱溶融させて押し出すための押出機と、当該押出機から押し出した溶融物を金型に流入させるための流路装置と、金型を保持するための金型保持装置と、を備えた押出成形装置であって、流路装置は、一端側が押出機の出口側に連通され、他端側が金型の注入口に連通される流路と、当該流路に連通して設けられて溶融物を貯留するための貯留部を有する流路形成部と、当該流路形成部を、金型に対して離接方向に移動可能に保持する保持体と、当該保持体に保持された流路形成部を離接方向に移動させる駆動手段と、貯留部の容積を調整するための容積調整手段と、を備えた押出成形装置が提供され、上記の問題点を解決することができる。
【０００６】
また、本発明の押出成形装置を構成するにあたり、流路装置は、金型の端部に設けられた注入口に連結できるように配置または移動可能に構成してあることが好ましい。
【０００７】
また、本発明の押出成形装置を構成するにあたり、金型保持装置は、架台上に設置された走行レールと、当該走行レール上に設置された複数の置台と、これら複数の置台を連結する連結手段と、を備えることが好ましい。
【０００８】
また、本発明の押出成形装置を構成するにあたり、連結手段は、一つ以上のシリンダから構成してあり、複数の置台の間の距離が可変であることが好ましい。
【０００９】
また、本発明の押出成形装置を構成するにあたり、容積調整手段は、貯留部内を、貯留部の内壁に沿って移動可能なピストンを含むことが好ましい。
【００１０】
また、本発明の押出成形装置を構成するにあたり、貯留部の径を、流路の径よりも大きくすることが好ましい。
なお、貯留部および流路の断面がそれぞれ円形である場合には、各直径を制御すれば良く、また、貯留部および流路の断面がそれぞれ非円形である場合には、貯留部の面積が、流路の面積よりも大きくなるように、断面寸法を制御すれば良い。
【００１１】
また、本発明の別の態様は、原料を加熱溶融させて押し出すための押出機と、当該押出機から押し出した溶融物を金型に送るための流路装置と、金型を保持するための金型保持装置と、を備えた押出成形装置を用いた押出成形方法であって、流路装置の吐出口および金型の注入口を接続する接続工程と、押出機から吐出される溶融物を、流路装置に形成された流路を通じて金型に注入する注入工程と、流路の容積を拡大して流路内の内圧を減圧するとともに金型側に残留する余分な溶融物を流路装置側に戻す減圧工程と、流路装置の吐出口および金型の注入口を切り離す切離工程と、を含む押出成形方法である。
【００１２】
また、本発明の押出成形方法を実施するにあたり、複数の金型を設置し、これら複数の金型の位置を移動させて、溶融物の注入と、溶融物の冷却とを交互に繰り返すことが好ましい。
【発明の効果】
【００１３】
本発明の押出成形装置によれば、流路装置を金型から外す際に、容積調整手段によって、流路と連通している貯留部の容積を、任意に変化させることができる。したがって、流路と貯留部とで形成される容積を、溶融物注入時よりも大きくして、流路および貯留部の内圧を減圧状態にすることができ、その結果、注入口から原料が吹き出すことを有効に防止することができる。
また、金型の小室における余分な溶融物についても、貯留部に流出させることができるために、成形品におけるバリを小さくすることもできる。
【００１４】
また、流路装置を金型の端部（縁部）に設けられた注入口に連結できるように配置または移動可能としていることにより、流路装置を金型保持装置の側方に設置することができる。したがって、流路装置を金型保持装置の中央部に配置した場合と比較して、金型を載置した状態であっても、そのまま流路装置のメンテナンスおよび清掃をすることができる。また、金型の大きさや長さが成形品の種類に応じて変化する場合があるが、そのような場合であっても金型の端部に注入口が設けられていることにより、注入口と、流路装置との位置合わせや、連結が容易に実施できる。
【００１５】
また、金型保持装置は、架台上に設置された走行レールと、当該走行レール上に、走行可能に設置された複数の置台を設け、これら置台上に金型が設置されていることにより、複数の金型に対して注入、冷却を交互に繰り返すことができ、作業効率を著しく向上させることができる。
【００１６】
また、複数の置台の間の距離を、少なくとも一つのシリンダを用いて可変に連結してあることにより、複数の置台の相対位置を自由に変えることができる。したがって、流路装置を中心として、メンテナンスおよび清掃時のスペース確保が自由にできる。
【００１７】
また、容積調整手段を、貯留部内を、貯留部内壁に沿って移動可能なピストンを含むことにより、流路と連通する貯留部の容積変更をきわめて単純な構造で実現できる。しかも、ピストンの位置を適宜変更するだけで、流路と連通する貯留部の容積を任意に変更できるために、押出機側の吐出量や金型注入口の大きさに応じて最適の容量に調整することができる。
【００１８】
また、貯留部の径を、流路の径よりも大きく設定することにより、貯留部の圧力状態の調整が容易になったり、長さを短くして、流路装置を小型化したりすることができる。
【００１９】
また、本発明の押出成形方法によれば、流路装置を金型から外す際に、流路装置の流路と連通している貯留部の容積を大きくすることにより、流路と貯留部とで構成される容積を溶融物注入時よりも大きくして、流路および貯留部の内圧を減圧することができる。その結果、注入口から原料が吹き出すのを防止できる。また、金型における余分な溶融物を流路装置側に逃がすことができるために、製品のバリを小さくすることもできる。
【００２０】
また、押出成形方法を実施するにあたり、金型保持装置上に複数の金型を設置し、これら複数の金型を往復移動させて、交互に溶融物の注入および冷却を繰り返すことにより、生産効率を著しく向上させることができる。
【発明を実施するための最良の形態】
【００２１】
以下、図面を適宜参照しつつ、本発明の押出成形装置およびそれを用いた押出成形方法に関する実施形態を具体的に説明する。
【００２２】
[第１の実施形態]
第１の実施形態は、主として図１および図２に示すように、原料を加熱溶融させて押し出すための押出機２と、当該押出機２から押し出した溶融物を金型３に流入させるための流路装置３０（図３参照）と、金型３を保持するための金型保持装置７と、を備えた押出成形装置１である。そして、流路装置３０は、図５に示すように、一端側が押出機２の出口側に連通され、他端側が金型３の注入口３８に連通される流路３７ａと、流路３７ａに連通して設けられて溶融物を貯留するための貯留部３７ｂ（図３参照）を有する流路形成部３２と、流路形成部３２を金型３に対して離接方向に移動可能に保持する保持体３１と、保持体３１に保持された流路形成部３２を離接方向に移動させる駆動手段２１と、貯留部３７ｂの容積を調整するための容積調整手段３９と、を備えている。
以下、各構成要件を図面に基づいて詳細に説明する。
【００２３】
１．全体構成
押出成形装置は、図１および図２に示すように、一例として、原料を投入するためのホッパ６を有するベント式押出機２と、当該ベント式押出機２から押し出された溶融物を金型３に流入させるための流路装置３０と、金型３を保持するための金型保持装置７と、を備えていることが好ましい。
また、ベント式押出機２の吐出口と、金型３と、は金型保持装置７に設置された流路装置３０を介して連結されている。そして、金型保持装置７は、ベント式押出機２の吐出口側に配置され、金型保持装置７の金型移動方向における中央部付近に、流路装置３０が設置されていることが好ましい。
また、金型保持装置７の上部には金型が設置されている。ここで、金型保持装置７の上部には走行レール５ａが設けられ、この走行レール５ａ上に複数の金型３が移動可能に設置されていることが好ましい。この理由は、このように構成することにより、複数の金型を使用することができ、金型への溶融物の注入効率を著しく向上させることができるためである。例えば、一つの金型に溶融物を注入した後、冷却する間に、次の金型に対して、溶融物を注入することができる。また、一つの金型が故障した場合であっても、別の金型を利用して生産を続けることもできる。よって、溶融物を注入までの待ち時間や、メンテナンス時間が実質的に不要となるため、成形品の生産効率を著しく高めることができる。
そして、流路装置３０の入口側が、ベント式押出機２の吐出口に連結され、流路装置３０の出口側が、金型３の注入口３８に対して、連結可能に構成されている。
以上のように構成された押出成形装置１においては、ホッパ６から熱可塑性樹脂からなる粉砕品等の原料を投入し、ベント式押出機２によって、混錬および可塑化した後、必要量（成形品該当量）の溶融物を吐出することができる。すなわち、吐出された溶融物は、流路装置３０を通じて金型３に流入し、冷却および固化されて成形品が製造されることになる。
【００２４】
２．ベント式押出機
一例として、ベント式押出機が好適に使用できるが、かかるベント式押出機としては、図１および図２に示すように、原料となる粉粒体を貯留するホッパ６を有し、ホッパ６に投入された原料を、混錬、可塑化可能な構造のものであれば特に制限されるものではない。例えば、単軸および多軸のスクリュー等の攪拌部材を備えたベント式押出機が使用可能である。
ただし、攪拌部材は、異なるメルトフローが混在する場合であっても、熱可塑性樹脂を可塑化できるものがより好ましい。すなわち、ベント式押出機２は、金型注入時の混合流体に対して、所定流速に応じて、輸送圧力を付与できる構成であることが好ましい。
また、図１に示すように、ベントポート８を設けることが好ましい。この理由は、このようにベントポート８を設けて、溶融物の脱水や脱気を実施することにより、構成樹脂が、本来相溶性を有しない複数樹脂であっても、ひずみが少なくなるためである。また、水分や空気の影響を排除することにより、硬質・厚肉の大型成形品を成形したであっても、残留応力を減少させた状態で、寸法安定性に優れた再生成形品やペレットを得ることができるためである。
なお、ベント式押出機２の駆動装置に関して、溶融物を、金型３まで送ることが可能な吐出圧を、ベント式押出機２に与える駆動力を発生できるものであれば、駆動機構その他について特に制限されるものではない。
【００２５】
３．流路装置
（１）全体構成
図５は、流路装置３０の構造を説明するために供する図であり、流路装置３０の縦断面を示している。
本実施形態に係る流路装置３０は、図５に示されるように、一端側がベント式押出機の出口側に連通され、他端側が金型３の注入口３８に連通される流路３７ａと、流路３７ａに連通して設けられて溶融物を貯留できる貯留部３７ｂを有する流路形成部３２と、流路形成部３２を金型３に対して離接方向に移動可能に保持する保持体３１と、保持体３１に保持された流路形成部３２を離接方向に移動させる駆動手段２１と、貯留部３７ｂの容積を調整するための容積調整手段３９と、を備えていることが好ましい。
なお、流路３７ａとは、ベント式押出機から吐出される溶融物が実質的に流動する箇所を意味し、流路形成部３２とは、流路３７ａおよび貯留部３７ｂの周囲に設けられた外筒等を意味する。
【００２６】
（２）流路形成部
流路形成部３２は、筒体からなる保持体３１の内側に上下方向に移動可能に設置されている。流路形成部３２の内部には、流路形成部３２の上端から中央部に延びる流路３７ａが形成され、この流路３７ａの下方に流路３７ａに連続して貯留部３７ｂが形成されている。流路形成部３２の中央部には保持体３１に設けられた流入口３３に連通するための開口部３６が設けられている。
また、流路形成部３２の上端側には先端に向かって縮径するテーパ状の吐出口３５が設けられていることが好ましい。この理由は、このようにテーパ状の吐出口３５であれば、金型３の注入口３８に容易に挿入できるためである。
【００２７】
貯留部３７ｂは、図３に示すように、流路３７ａに連続する断面円形であることが好ましい。そして、貯留部３７ｂの径は流路３７ａの径よりも大きく設定されていることが好ましい。この理由は、貯留部３７ｂの径を流路３７ａの流路径より大きく設定することにより、流路３７ａと貯留部３７ｂの境界部に段部３７ｃが形成され、この段部３７ｃが貯留部３７ｂ内に設置されたピストンからなる容積調整手段３９の最上位置を規制する機能を発揮するためである。また、貯留部３７ｂの径を流路３７ａの流路径より大きく設定することにより、流路３７ａと貯留部３７ｂの容量が同じ場合には貯留部３７ｂの長さを短くすることができるためである。したがって、流路形成部３２全体の長さを短くでき、装置全体をコンパクトにすることができる。
一方、流路３７ａと貯留部３７ｂの径を同一に設定することも好ましい。この理由は、このようにすることにより、貯留部３７ｂ内に設置したピストン３９ａを流路３７ａ側まで移動させることができ、流路３７ａ内に残留する溶融物を容易に排出できるためである。
【００２８】
（３）保持体
保持体３１は、金型保持装置７の架台４の側部に取付部材４ａを介して取り付けられていることが好ましい。この理由は、金型保持装置７の架台４の側部に取り付けることで、保持体３１の周囲空間を広く確保でき、保持体３１に保持される流路形成部３２等のメンテナンスおよび清掃が容易になるためである。
また、保持体３１は、筒状体から構成され、流路形成部３２を、離接方向、この場合は、上下方向に移動可能に保持することが好ましい。この理由は、流路形成部３２を駆動装置２１によって上下に移動することにより、流路形成部材３２の上端の吐出口３５を金型３の注入口３８に対して離接（離したり接触させたりすること）可能に構成できるためである。
さらに、保持体３１の側壁には、ベント式押出機２から吐出される溶融物が流入するための流入口３３が設けられていることが好ましい。この理由は、このように構成することにより、流路形成部材３２を保持体３１に対して上下動させることができ、流入口３３が流路形成部３２の開口部３６と連通したり、連通を遮断したりできるためである。
さらにまた、流入口３３には端部にフランジを有するガイド管３４を設けることが好ましい。この理由は、このガイド管３４によって、ベント式押出機２の吐出側との接続が容易になるためである。
【００２９】
（４）駆動手段
駆動手段２１は、図３に示されるように、シリンダ保持部２３の下方に設置された第２シリンダ２１から構成することが好ましい。そして、流路形成部３２の下端部とシリンダ保持部２３とを一体的に連結して第２シリンダ２１のシリンダロッド２０を伸縮させることにより、流路形成部３２を上下動させるようにすることが好ましい。この理由は、シリンダロッド２０を伸縮させることで、流路形成部３２の先端部の吐出口３５が金型３の注入口３８に離接させることができるためである。
そして、シリンダロッド２０を伸長させて吐出口３５を注入口３８に接触させた状態（図５参照）では、流路形成部３２の開口部３６と流入口３３とが連通して、ベント式押出機２からの溶融物を金型３に流入させることができる。一方、シリンダロッド２０を縮退させて吐出口３５を注入口３８から離した状態（図３参照）では、開口部３６が保持体３１の内壁に遮断され開口部３６と流入口３３とが連通しなくなり、ベント式押出機２からの溶融物が流路３７ａに流入しないようにできる。
【００３０】
（５）容積調整手段
容積調整手段３９は、図３に示されるように、貯留部３７ｂ内に配置されたピストン３９ａと、当該ピストン３９ａを上下方向に移動させる第１シリンダ３９ｂから構成することが好ましい。この理由は、ピストン３９ａを上下動させるだけで、貯留部３７ｂの容積を自由に調整でき、流路３７ａの容積および金型３の貯留部の容積に応じた適切な容積を極めて簡単に設定できるためである。
【００３１】
（６）動作
以上のように構成された流路装置３０の動作を図３〜図５に基づいて説明する。
図３は、金型３への溶融物の注入前の待機状態を示している。かかる待機状態においては、第２シリンダ２１のシリンダロッド２０を縮めた状態になっている。このとき、流路形成部３２は、保持体３１に対して相対的に下方に位置している。この状態では、吐出口３５は金型３の注入口３８から離れた状態になっているために、金型３を自由に移動させることができる。
また、流路３７ａの下端側の開口部３６は保持体３１の内壁によって遮断され、流入口３３と流路３７ａは不連通状態になっている。また、貯留部内のピストン３９ａは、下降した状態になっている。
【００３２】
次いで、注入時においては、図４に示すように、第２シリンダ２１のシリンダロッド２０を伸出させてシリンダ保持部２３および流路形成部３２を上方に移動させ、流路形成部３２の先端にある吐出口３５を金型３の注入口３８に密接させる。このとき、吐出口３５をテーパ状に形成しているために、注入口３８への密接をスムーズかつ確実に行うことができる。
また、流路形成部３２を上方に移動させると、流路形成部３２は保持体３１に対しても相対的に上方に移動する。そして流路形成部３２の開口部３６が保持体３１の流入口３３の位置に配置され、流路３７ａと流入口３３が連通する。したがって、ガイド管３４の流入口３３と流路３７ａが連通して溶融物の流入路を形成することができる。
【００３３】
次いで、図５に示すように、貯留部内のピストン３９ａを最上部まで上昇させる。すると、貯留部の上端に位置したピストン３９ａの上面が流路３７ａの流路壁の一部を形成することになる。この状態では、貯留部３７ｂにおける流路３７ａと連通する側の容積が、実質的にゼロになっている。
この状態でベント式押出機２を稼動して溶融物をガイド管３４に送ると、溶融物は流路３７ａを通って注入口３８から金型３に注入される。したがって、金型３に注入された溶融物は、金型内で垂直方向から水平方向に流れの向きを変え、金型全体に均一に拡散することができる。
【００３４】
さらに、所定量の溶融物の注入が終わった後は、ベント式押出機２からの吐出を停止させるとともに、図４に示すように、第１シリンダ３９ｂを駆動させて、再び、ピストン３９ａを下降させることが好ましい。これによって、流路３７ａと連通する貯留部３７ｂの容積を拡大させて、減圧状態にすることができる。したがって、拡大した貯留部に、流路３７ａ側に封入されていた溶融物が流入することになる。
このとき、金型３の注入口側に形成されている小室に溜まっている溶融物の一部も拡大した貯留部に流入することができる。したがって、流路３７ａ側に封入されていた溶融物が拡大した貯留部に流入することにより、外部に吹き出すことなく、流路３７ａ内の圧力が低下する。また、小室の溶融物が流入することにより、小室に残留する溶融物量が少なくなる。
なお、貯留部３７ｂの径を流路３７ａの径よりも大きく設定しているために、ピストン３９ａの動きが小さくても拡大した貯留部の容量が大きくなり、流路３７ａおよび金型小室の残留溶融物を十分に貯留することができる。したがって、流路形成部３２における貯留部３７ｂの長さを短くでき、その結果、流路形成部３２の全長を短くできるので、装置のコンパクト化が実現できる。
【００３５】
次いで、図３に示すように、再び、第２シリンダ２１のシリンダロッド２０を縮めることが好ましい。これによって、流路形成部３２が下方に移動して吐出口３５が、金型３の注入口３８から離れる。このとき、流路３７ａ内の溶融物による内圧は減圧された状態になっているので、吐出口３５から溶融物が噴出することはない。また、金型３の小室に残留する溶融物も、すでに流路３７ａ側に流入しているので、吐出口３５が注入口３８から離れたとしても注入口３８から流出することはない。したがって、溶融物の噴出あるいは流出による汚れが防止できる。
【００３６】
また、流路形成部３２を下降させることにより、流路３７ａの下端側の開口部３６は保持体３１の内壁によって遮断され、流入口３３と流路３７ａは不連通状態になる。したがって、仮にこの状態で誤ってベント式押出機２を稼動して溶融物がガイド管３４に送られたとしても、溶融物は流路形成部３２の外壁で遮断されて、流路３７ａ側には流入しない。
図３に示す状態では、金型３と流路形成部３２が分離した状態であるので、金型３を走行レール５ａに沿って移動させ冷却ゾーンに待機させ、新たな金型３を流路装置３０の近傍に移動させることができる。そして、新たな金型３を流路装置３０近傍へ移動させて、上記と同様の動作を繰り返すこととなる。
【００３７】
一方、新たな金型への注入を行わない場合には、金型３を移動させて、流路装置３０の上方に広い空間を確保することが好ましい。この理由は、流路装置３０の流路３７ａ、貯留部３７ｂを、容易に掃除することが可能になるためである。すなわち、再び第２シリンダ２１を伸出させて、流入口３３と開口部３３を連通させ、ベント式押出機２側から有機溶剤を容易に流し込むことができる。
【００３８】
以上のように、本実施形態の流路装置３０においては、流路３７ａと貯留部３７ｂを設けて、成形時においては流路３７ａを介して溶融物を金型３に注入し、金型交換あるいは清掃に際しては、貯留部３７ｂ側に溶融物を流入させることができる。したがって、金型交換あるいは清掃時に溶融物が吹き出したり、製品に大きなバリが出来たりすることがない。
【００３９】
なお、上記の実施形態においては、流路３７ａと貯留部３７ｂとの境界に段部３７ｃを設けることが好ましい。この理由は、かかる段部３７ｃを利用して、ピストン３９ａの上端位置合わせが容易にできるためである。
もっとも、流路３７ａの径と貯留部３７ｂの径を同一にすることも好ましい。この理由は、ピストンを流路３７ａ側にも押し上げることができ、流路３７ａ内の溶融物を簡単に排出できるために、上述のとおり、容易に清掃をすることができるためである。
その他、貯留部３７ｂの構成は上記のものに限られるものではない。すなわち、金型交換時等において流路３７ａ側の溶融物を一時的に溜めることができる構成であれば、他の構成であってもよい。
【００４０】
４．金型保持装置
（１）装置構成
金型保持装置７は、図３〜図７に示すように、架台４と、かかる架台４の上部に設置された走行レール５ａと、走行レール５ａ上を走行するとともに金型３を保持する置台５ｂと、を備えていることが好ましい。この理由は、このように構成することにより、複数の金型を効率的に利用することができ、成形品の生産効率を著しく高めることができるためである。
また、図３〜図７に示す例では、置台５ｂの数が２個のものを示しているが、かかる２個の置台５ｂは、伸縮可能な少なくとも一つのシリンダ５ｃによって連結されていることが好ましい。この理由は、このように構成された金型保持装置７においては、互いに連結された２個の置台５ｂが一体となって走行レール上を移動することができるためである。したがって、一体物の一箇所をセンサ検知することにより、あるいは、置台５ｂの端部位置にストッパを設けるだけで、置台５ｂの位置、ひいては、金型３の位置を正確に制御することができる。
また、２個の置台５ｂはシリンダ５ｃの伸縮によって両者の間の距離を離隔させたり近接させたりできることが好ましい。この理由は、複数の置台５ｂの間に位置する流路装置３０をメンテナンスする必要が生じる場合があるためである。
【００４１】
（２）動作
次いで、上記のように構成された金型保持装置７を用いた成型時の動作を説明する。
まず、図６に示すように、走行レール５ａの中央部にある金型３に対して流路装置３０（図６においては、流路装置３０についての図示を省略している）の吐出口３５を接続して溶融物の注入を行う。この時の動作の詳細は、流路装置３０の説明において述べた通りである。
また、金型３への注入が完了すると、流路装置３０の吐出口３５を外して、２個の金型３を、図８に示すように、図中右方向へ移動させることが好ましい。この動作によって、図６の状態で中央にて溶融物が注入された金型３は図中右端に移動し、この位置で金型内の溶融物が冷えて固化する。一方、図６の状態で左端に位置していた金型３は、中央付近に移動した後、流路装置３０に連結されて、溶融物の注入が行われる。
【００４２】
次いで、先に注入された溶融物が固化した時点で、成形品を金型３から取出し、再び置台５ｂを移動させて図６の状態にて、空になった金型３への注入を行う。
このように、本実施の形態においては複数の金型３をシャトルのように往復移動させて金型３への溶融物の注入を行うことができるために、効率的な作業が可能である。
【００４３】
また、金型３への注入作業が終了して流路装置３０の清掃を行う際には、図９に示すように、置台５ｂを連結するシリンダ５ｃのロッドを伸出させて、２台の置台５ｂを走行レール５ａの両端に移動させることが好ましい。この理由は、流路装置３０が設置されている中央部に広い空間を確保でき、流路装置のメンテナンスおよび清掃作業が容易になるためである。
【００４４】
上記の説明で分るように、２台の置台５ｂの位置としては、図６に示す状態、図８に示す状態、および図９に示す状態の３つのパターンである。一般に金型の位置決め制御は難しいと言われるが、この例のように、金型の位置を３パターンに固定することで、きわめて簡単な位置制御が可能となる。
なお、この例では置台５ｂを２台用いた例を示したが、本発明はこれに限られるものではなく、３台以上の置台５ｂを用いた場合にも対応できることはいうまでもない。
【００４５】
５．金型
（１）注入口の位置
金型については種々のものを利用することができる。ここで、図３〜図５に示したように、溶融物の注入口３８を金型３の端部に設けることが好ましい。この理由は、金型３の一端側に注入口３８を設けることで、流路装置３０を金型保持装置７の側方に設けることができる（図３参照）。したがって、流路装置３０を金型保持装置７のレール間に設置する場合に比較して、流路装置３０の周囲に広い空間を確保でき、流路装置３０の清掃やメンテナンスが容易になるためである。
一方、金型３の注入口３８は、図１０に示すように、金型３の中央部に設けることも好ましい。このように注入口３８を金型３の中央部に設けると、金型３が長尺の場合にも溶融物が金型内に均等に流入するためである。したがって、金型３が長尺の場合には、注入口３８の位置を金型３の長手方向の中央部付近に設けることがより好ましい。
なお、金型３の一端側に注入口３８を設けた場合であっても、溶融物のメルトフローレートを調整することで、金型全体に溶融物を均等に充填させることができる。
【００４６】
（２）金型の開閉機構
金型３の開閉機構としては、例えば、図１１、図１２に示すように、金型３の両側にシリンダ５１で駆動するパンタグラフ機構５０を設けることが好ましい。このようにパンタグラフ機構５０を用いることにより、金型３の開閉をスムーズに行うことができるとともに、省スペースにて開閉が可能となるためである。
【００４７】
［第２の実施の形態］
第２の実施の形態は、原料を加熱溶融させて押し出すための押出機と、当該押出機から押し出した溶融物を金型に送るための流路装置と、金型を保持するための金型保持装置とを備えた押出成形装置を用いた押出成形方法である。そして、本実施の形態に係る押出成形方法は、原料を加熱溶融する加熱溶融工程と、流路装置の吐出口および金型の注入口を接続する接続工程と、押出機から吐出される溶融物を流路装置に形成された流路を通じて金型に注入する注入工程と、流路の容積を拡大して流路内の内圧を減圧するとともに金型側に残留する余分な溶融物を流路装置側に戻す減圧工程と、流路装置の吐出口と金型の注入口を切り離す切離工程と、を含む押出成形方法である。
【００４８】
１．原料
原料としては熱可塑性樹脂等種々のものが利用できるが、ここでは、一例として、車両用フロントパネル、車両用バンパー、車両用内装品を原料としてリサイクル処理する場合について説明する。
なお、リサイクル処理する場合には、熱可塑性樹脂を主体とした異種成形品（異なる材料を複合的に貼り合わせた成形品）を実質的に分別せずに粉砕して、粉砕品とする粉砕工程が必要となる。
【００４９】
（１）異種成形品
粉砕工程で使用する熱可塑性樹脂を主体とした異種成形品は、熱硬化性樹脂や無機材料等の含有量に対して、熱可塑性樹脂の含有量が多いことが好ましい。より具体的には、熱可塑性樹脂の含有量を、全体量に対して、５５重量％以上の値とすることが好ましい。
この理由は、かかる熱可塑性樹脂の含有量が５５重量％未満の値になると、再生成形品やペレットにおける外観性が著しく低下するばかりか、ベント式押出機によって、混合流体の流速やメルトフローレートの調整が困難になる場合があるためである。
【００５０】
また、異種成形品として、車両用フロントパネル、車両用バンパー、および車両用内装品等を使用することが好ましい。この理由は、かかる異種成形品は、従来、ポリプロピレン樹脂、ウレタン樹脂、熱可塑性ウレタン樹脂、熱可塑性オレフィン樹脂、塩化ビニル樹脂、ポリエステル樹脂、アクリル樹脂、アセタール樹脂等に分別回収されていたが、本発明のリサイクル法により、分別回収の手間やコストを著しく低減させることができるためである。
【００５１】
（２）粉砕工程
粉砕工程において、異種成形品からなる粉砕品を作成するにあたり、破砕機やせん断装置を用いて、例えば、粉砕品の粒度を０．０１〜２０ｍｍの範囲内の値とすることが好ましい。
この理由は、かかる粉砕品の粒度が０．０１ｍｍ未満の値になると、粉砕品を作成するのに過度に時間やコストを要する場合があるためである。一方、かかる粉砕品の粒度が２０ｍｍを超えると、ベント式押出機を用いたとしても、不均一に混合し、混合流体の流速やメルトフローレートの調整が困難になる場合があるためである。
さらに、異種成形品からなる粉砕品以外に、得られる再生成形品やペレットの用途に応じて、無機粒子、導電性粒子、非再生有機樹脂、酸化防止剤、紫外線吸収剤、難燃剤、粘度調整剤、顔料、染料および塗料等の一種単独または二種以上の組み合わせを、全体量に対して、０．１〜３０重量％の範囲で添加することが好ましい。
【００５２】
２．加熱溶融工程
加熱溶融工程は、ベント式押出機により、メルトフローレート等が異なる異種成形品を加熱溶融させて、混合流体を作成するための工程である。すなわち、混合流体における構成樹脂を均一に混合するとともに、ひずみを緩和して、金型内で得られる再生成形品やペレットに発生する残留応力を低減させることができる。
また、加熱溶融工程において、混合装置として、ベント式押出機を用いることにより、流動状態で、十分な脱水および脱気を図り、異種構成樹脂の間の相分離を有効に図ることができるとともに、機械的強度や外観性に優れた再生成形品やペレットを作成することができる。
【００５３】
すなわち、粉砕品をベント式押出機により、溶融流動させながら、脱気または脱水するとともに、混合流体を作成することより、異なるメルトフローレートが混在する混合流体であっても、短時間で、均一化させることができる。
したがって、加熱溶融工程において、当初は、複雑な絡まり状態の高分子鎖であっても、それをプラグフローとしてのせん断流に変えることができ、しかも、次工程で屈曲部を介して、流れ方向を変えて金型内に注入するため、大気圧下であっても、混合流体が、金型内で容易かつ均一に拡散することができる。
なお、加熱溶融工程において、異種成形品からなる粉砕品を５０〜２５０℃に加熱し、得られる混合流体のメルトフローレートを５〜５０ｇ／分（ＡＳＴＭ  Ｄ１２３８に準拠し、荷重２．１６ｋｇ、温度１９０℃で測定）の範囲内の値に調整することが好ましく、さらに、１００〜１，０００，０００ｍＰａ・秒の粘度に調整することが好ましい。
【００５４】
３．接続工程
本実施の形態で用いる装置は、第１の実施の形態で説明したものを使用することができる。以下、第１の実施の形態で説明した流路装置３０を用いた場合の接続工程について説明する。
図４に示すように、第２シリンダ２１のシリンダロッド２０を伸出させてシリンダ保持部２３および流路形成部３２を上方に移動させ、流路形成部３２の先端にある吐出口３５を金型３の注入口３８に密接させる。このとき、流路形成部３２の開口部３６が保持体３１の流入口３３の位置に配置され、流路３７ａと流入口３３が連通する。また、貯留部内のピストン３９ａを貯留部上端の段部３７ｃまで移動させ、ピストン３９ａの上面を流路３７ａの流路壁の一部とする。つまり、ガイド管３４の流入口３３、流路３７ａ、吐出口３５および金型の注入口３８が連通して接続工程が完了する。
【００５５】
４．注入工程
注入工程は、押出機２から吐出される溶融物を流路装置３０に形成された流路３７ａを通じて金型３に注入する工程である。
ここで、ベント式押出機２から金型３に至るまでの溶融物の流れ方向は、任意角度に調整することも可能である。例えば、上昇流、水平流、下降流、蛇行流あるいはこれらの組み合わせである。しかしながら、溶融物の流れ方向を、上昇流、特に、垂直流とすると、混合流体は、金型内で、より均一拡散できることから好ましい態様である。
また、注入工程を実施するにあたり、金型３の端部に注入口を設けて、混合流体を注入することが好ましい。この理由は、このように端部から注入すると、内部圧力の関係で、混合流体は、金型内で、より均一拡散できるためである。
なお、注入工程において、混合流体がより均一に拡散できるように、金型３を傾けたり、回転させたり、あるいは金型３に振動を与えることも好ましい。
【００５６】
５．減圧工程
減圧工程は、流路の容積を拡大して流路内の内圧を減圧するとともに金型側に残留する余分な溶融物を流路装置側に戻す工程である。
減圧工程においては、例えば図４に示すように、第１シリンダ３９ｂを駆動してピストン３９ａを下降させ、流路３７ａと連通する貯留部３７ｂの容積を拡大させることが好ましい。これによって、拡大した容積部に流路３７ａ側に封入されていた溶融物が流入するとともに、金型３の注入口側に形成されている小室に溜まっている溶融物の一部も拡大した容積部に流入する。流路３７ａ側に封入されていた溶融物が拡大した容積部に流入することで、流路３７ａ内の圧力が減圧されるとともに、小室の溶融物が流入することで、小室に残留する溶融物量が少なくなる。
【００５７】
６．切離工程
切離工程は、流路装置の吐出口と金型の注入口を切り離す工程である。
この切離工程は、例えば図３に示すように、第２シリンダ２１のシリンダロッド２０を縮め、流路形成部３２を下方に移動させ吐出口３５を金型３の注入口３８から離すようにすることが好ましい。このとき、流路３７ａ内の溶融物による内圧は減圧された状態になっているので、吐出口３５から溶融物が噴出すことはない。また、金型３の小室に残留する溶融物もすでに流路３７ａ側に流入しているので、吐出口３５が注入口３８から離れたとしても注入口３８から流出することはない。したがって、溶融物の噴出あるいは流出による汚れが防止できる。
【００５８】
以上のように本実施の形態の押出成形方法においては、流路装置３０を金型３から外す際に、流路装置３０の流路の容積を大きくして、流路の容積を溶融物注入時よりも大きくして、注入時の圧力を減圧するようにしたので、注入口から原料が吹き出すのを防止できる。また、金型３における余分原料を流路装置側に逃がすことができるので、製品のバリを小さくすることができる。
【産業上の利用可能性】
【００５９】
本発明の押出成形装置または押出成形方法によれば、溶融物の注入時の圧力を貯留部側に逃がすことができ、注入口から原料が吹き出すのを防止できるとともに、金型における余分な溶融物を貯留部に逃がすことができる。したがって、溶融物による装置の汚れを防止でき、清掃が容易になるとともに、製品のバリも小さくなるので、成形品の生産効率を著しく向上させることができるようになった。
【図面の簡単な説明】
【００６０】
【図１】押出成形装置の側面図である。
【図２】押出成形装置の正面図である。
【図３】成形開始前後の流路装置の状態を説明するために供する図である。
【図４】成形時の流路装置の状態を説明するために供する図である（その１）。
【図５】成形時の流路装置の状態を説明するために供する図である（その２）。
【図６】金型保持装置の動作説明に供する側面図である（その１）。
【図７】金型保持装置の動作説明に供する平面図である。
【図８】金型保持装置の動作説明に供する側面図である（その２）。
【図９】金型保持装置の動作説明に供する側面図である（その３）。
【図１０】金型の注入口の位置の説明に供する説明図である。
【図１１】金型の開閉機構の説明に供する側面図である。
【図１２】金型の開閉機構の説明に供する平面図である。
【図１３】従来の押出成形装置の説明に供する側面図である。
【符号の説明】
【００６１】
１    ：  押出成形装置
２    ：  押出機 
３    ：  金型
４    ：  架台
５ａ  ：  走行レール
５ｂ  ：  置台
５ｃ  ：  シリンダ
７    ：  金型保持装置
２１  ：  駆動手段
３０  ：  流路装置
３１  ：  保持体
３２  ：  流路形成部
３５  ：  吐出口
３７ａ：  流路
３７ｂ：  貯留部
３８  ：  注入口
３９  ：  容積調整手段
【図１】
2005041097.tif 000003
【図２】
2005041097.tif 000004
【図３】
2005041097.tif 000005
【図４】
2005041097.tif 000006
【図５】
2005041097.tif 000007
【図６】
2005041097.tif 000008
【図７】
2005041097.tif 000009
【図８】
2005041097.tif 000010
【図９】
2005041097.tif 000011
【図１０】
2005041097.tif 000012
【図１１】
2005041097.tif 000013
【図１２】
2005041097.tif 000014
【図１３】
2005041097.tif 000015